(57)【要約】      （修正有）【課題】フィルタモジュールの構造の縮小化、簡素化を図ることができ、ケーブルコネクタの小型化を確保し、構造を簡単にして生産を容易にし、同時にフィルタ機能をさらに持ち、その電気的性能を大幅に高めることが可能となり、しかも設備の内部空間を付加的に占用する必要がないフィルタコネクタを提供する。【解決手段】絶縁座体組１と電気機器モジュール２とを備え、絶縁座体組１は、突合せ接続ヘッドと突合せ接続ヘッドの一側に位置する底座１２とを有し、電気機器モジュール２は、回路基板２１と入力端子２２と出力端子２３とを有し、回路基板２１は、相隣接する両側辺上にそれぞれ第１側辺２１１と第２側辺２１２とが形成され、入力端子２２が第１側辺２１１に溶接され、出力端子２３が第２側辺２１２に溶接され、かつ入力端子２２と出力端子２３は、それぞれ絶縁座体組１の突合せ接続ヘッドと底座１２とに貫設されて位置決めされることで、回路基板２１を縦に立てて複数個の入力端子２２の間に挟設する。【選択図】図２
0003218900.tif 000002
【実用新案登録請求の範囲】
【請求項１】
突合せ接続ヘッドと、前記突合せ接続ヘッドの一側に位置する底座とを有する絶縁座体組と、回路基板と、複数個の入力端子と、複数個の出力端子とを有する電気機器モジュールとを備えるフィルタコネクタであって、
前記回路基板は、相隣接する１組の両側辺上にそれぞれ第１側辺と第２側辺とが形成され、当該入力端子は、入力本体と入力本体の一端から屈曲する入力溶接端とを含み、かつ前記入力溶接端が前記第１側辺に溶接されることで、前記入力本体を前記第２側辺に平行させ、また当該出力端子は、出力本体と出力本体の一端から屈曲する出力溶接端とを含み、かつ前記出力溶接端が前記第２側辺に溶接されることで、前記出力本体を前記第１側辺に平行させ、
前記電気機器モジュールの前記入力本体と前記出力本体は、それぞれ前記絶縁座体組の前記突合せ接続ヘッドと前記底座とに貫設されて位置決めされることを特徴とする、フィルタコネクタ。
【請求項２】
前記電気機器モジュールの前記回路基板を複数並列設置する場合には、前記複数個の入力端子の前記入力溶接端は、それぞれ各前記回路基板の前記第１側辺に溶接され、また前記複数個の出力端子の前記出力溶接端は、それぞれ各前記回路基板の前記第２側辺に溶接されることを特徴とする、請求項１に記載のフィルタコネクタ。
【考案の詳細な説明】
【技術分野】
【０００１】
本考案は、フィルタコネクタに係り、特に、高速ジョイントの後端に設置される構造簡単で小型化が可能な電気機器モジュールに関し、フィルタコネクタの小型化を確保し、構造を簡単にして生産を容易にする状態において、同時にフィルタ機能を更にに持ち、その電気的性能を大幅に高めることが可能となる。
【背景技術】
【０００２】
Ｍ８型コネクタやＭ１２型コネクタなどのような一般の伝統的なケーブルコネクタは、単純な機械的コネクタであり、それは主にプラスチック絶縁体と複数の端子とから構成され、この種の部品から構成されるコネクタは、一般的に低周波信号の伝送のみに用いられるため、高周波伝送時に、信号の安定を損なう状態、及び信号の品質を破壊する状態になることがある。しかしながら、特定のニーズに応じるため、設備の間に高周波信号を伝送しなければならないので、現在、解決策としては、設備の回路基板上にフィルタなどの機能を有する電子部材を設置することが採用され、このような設計により、設備の内部空間を不可避的に占有してしまい、設備の回路レイアウトに影響を及ぼす。
【考案の概要】
【考案が解決しようとする課題】
【０００３】
本考案の主な目的は、フィルタ機能を有する電子モジュールがケーブルコネクタ中に整合されると共に、ケーブルコネクタの小型化を確保し、構造を簡単にして生産を容易にすると同時に、フィルタ機能を更に持つフィルタコネクタを提供する。
【課題を解決するための手段】
【０００４】
上記の目的を達成するために、本考案のフィルタコネクタは、絶縁座体組と電気機器モジュールとを備え、絶縁座体組は、突合せ接続ヘッドと突合せ接続ヘッドの一側に位置する底座とを有し、電気機器モジュールは、回路基板と複数個の入力端子と複数個の出力端子とを有し、回路基板は、相隣接する１組の両側辺上にそれぞれ第１側辺と第２側辺とが形成され、入力端子は、入力本体と入力本体の一端から屈曲する入力溶接端とを含み、かつ入力溶接端が第１側辺に溶接されることで、入力本体を第２側辺に平行させ、また出力端子は、出力本体と出力本体の一端から屈曲する出力溶接端とを含み、かつ出力溶接端が第２側辺に溶接されることで、出力本体を第１側辺に平行させ、前述した電気機器モジュールの入力本体と出力本体は、それぞれ絶縁座体組の突合せ接続ヘッドと底座とに貫設されて位置決めされる。
【考案の効果】
【０００５】
本考案は、電気機器モジュールに設置される回路基板を縦に立てて複数個の入力端子の間に挟設すること及び回路基板上に電子部材を設置することを利用して、フィルタモジュールの構造の縮小化、簡素化を図ることができ、ケーブルコネクタの小型化を確保し、構造を簡単にして生産を容易にする状態において、同時にフィルタ機能をさらに持ち、その電気的性能を大幅に高めることが可能となり、しかも設備の内部空間を付加的に占用する必要がない。
【図面の簡単な説明】
【０００６】
【図１】本考案の第１実施例の外観斜視図である。
【図２】本考案の第１実施例の分解斜視図である。
【図３】本考案の第１実施例の別の視角から見た分解斜視図である。
【図４】本考案の第２実施例の分解斜視図である。
【図５】図４のＡ部分の拡大図である。
【図６】本考案の第３実施例の外観斜視図である。
【図７】本考案の第３実施例の分解斜視図である。
【図８】本考案の第３実施例の別の視角から見た分解斜視図である。
【考案を実施するための形態】
【実施例１】
【０００７】
図１〜図３を参照して、図示のように、本考案には、絶縁座体組１と電気機器モジュール２とシールド筐体組３とが設置される。
【０００８】
その中、前記絶縁座体組１は、突合せ接続ヘッド１１と底座１２と上蓋１３と側蓋１４とを有し、突合せ接続ヘッド１１は、円形状を呈すると共に、その上に複数個の通孔１１１が設置され、また底座１２上に複数個の差し込み孔１２１が設置される。
【０００９】
前記電気機器モジュール２は、回路基板２１と複数個の入力端子２２と複数個の出力端子２３と回路基板２１の表面に位置する電子部品２４（例えば、フィルター、変圧器、レジスタ、コンデンサ、インダクタ、放電管または高電圧保護素子）とを有し、回路基板２１は、相隣接する１組の両側辺上にそれぞれ第１側辺２１１と第２側辺２１２とが形成され、入力端子２２は、入力本体２２１と入力本体２２１の一端から屈曲する入力溶接端２２２とを含み、かつ入力溶接端２２２が第１側辺２１１に溶接されることで、入力本体２２１を第２側辺２１２に平行させ、また出力端子２３は、出力本体２３１と、出力本体２３１の一端から屈曲する出力溶接端２３２とを含み、かつ出力溶接端２３２が第２側辺２１２に溶接されることで、出力本体２３１を第１側辺２１１に平行させ、本実施例において、回路基板２１の第１側辺２１１と第２側辺２１２上にそれぞれ第１溶接孔２１３と第２溶接孔２１４が設置され、それぞれ入力溶接端２２２と出力溶接端２３２をディップ溶接（ＤＩＰ）方式で連結するために供される。
【００１０】
前記シールド筐体組３は、シールド筐体３１とシールド筐体３１の一側に連結される突合せ接続具３２と突合せ接続具３２上に締付するナット具３３とを有する。
【００１１】
本考案を組み立てる時に、電気機器モジュール２の入力本体２２１と出力本体２３１は、それぞれ突合せ接続ヘッド１１の通孔１１１と底座１２の差し込み孔１２１とに貫入して位置決めがなされ、次に、底座１２の上方に上蓋１３を閉合し、及び底座１２の突合せ接続ヘッド１１から離れる他側に側蓋１４を閉合すると、絶縁座体組１と電気機器モジュール２との組み付けが完了し、それから、絶縁座体組１をシールド筐体組３のシールド筐体３１内に入れて置き、かつ絶縁座体組１の突合せ接続ヘッド１１が突合せ接続具３２内に進入すると共に、締結部品４を利用して絶縁座体組１とシールド筐体組３とに位置決めすればよい。
【実施例２】
【００１２】
図４と図５を参照して、図示のように、本考案の第２実施例と前述した第１実施例との相違点は、前記電気機器モジュール２'の入力端子２２'と出力端子２３'においては、その入力溶接端２２２'と出力溶接端２３２'が表面実装技術（ＳＭＴ）方式で回路基板２１'の表面に溶接される点である。
【実施例３】
【００１３】
図６〜図８を参照して、図示のように、本考案の第３実施例と第１実施例との相違点は、前記電気機器モジュール５の回路基板５１を複数並列設置する場合には、複数個の入力端子５２の入力溶接端５２２は、それぞれ各回路基板５１の第１側辺５１１に溶接され、また複数個の出力端子５３の出力溶接端５３２は、それぞれ各回路基板５１の第２側辺５１２に溶接される点である。組み立て時に、第１実施例と同じように、電気機器モジュール５の入力本体５２１と出力本体５３１は、それぞれ絶縁座体組６の突合せ接続ヘッド６１と底座６２とに貫入して位置決めがなされ、次に、絶縁座体組１をシールド筐体７に位置決めすることで、突合せ接続ヘッド６１をシールド筐体７から突出させればよい。
【符号の説明】
【００１４】
１：絶縁座体組
１１：突合せ接続ヘッド
１１１：通孔
１２：底座
１２１：差し込み孔
１３：上蓋
１４：側蓋
２，２'：電気機器モジュール
２１，２１'：回路基板
２１１，２１１'：第１側辺
２１２，２１２'：第２側辺
２１３：第１溶接孔
２１４：第２溶接孔
２２，２２'：入力端子
２２１，２２１'：入力本体
２２２，２２２'：入力溶接端
２３，２３'：出力端子
２３１，２３１'：出力本体
２３２，２３２'：出力溶接端
２４，２４'：電子部品
３：シールド筐体組
３１：シールド筐体
３２：突合せ接続具
３３：ナット具
４：締結部品
５：電気機器モジュール
５１：回路基板
５１１：第１側辺
５１２：第２側辺
５１３：第１溶接孔
５１４：第２溶接孔
５２：入力端子
５２１：入力本体
５２２：入力溶接端
５３：出力端子
５３１：出力本体
５３２：出力溶接端
５４：電子部品
６：絶縁座体組
６１：突合せ接続ヘッド
６２：底座
７：シールド筐体
【図１】
0003218900.tif 000003
【図２】
0003218900.tif 000004
【図３】
0003218900.tif 000005
【図４】
0003218900.tif 000006
【図５】
0003218900.tif 000007
【図６】
0003218900.tif 000008
【図７】
0003218900.tif 000009
【図８】
0003218900.tif 000010